【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
複数の音楽コンテンツ表示データを記憶する音楽コンテンツ記憶手段と、
複数の音楽コンテンツ表示データの画像データを順序付けて１つにまとめた画像データである曲集画像データを複数記憶する曲集データ記憶手段と、
音楽コンテンツ記憶手段に記憶される各音楽コンテンツ表示データの表示可否の状態に応じて、曲集データ記憶手段に記憶される複数の曲集画像データの中から１つの曲集画像データを選出する曲集画像データ選出手段と、
曲集画像データ選出手段により選出された曲集画像データを表示する曲集画像データ表示手段と
を具備することを特徴とする音楽コンテンツ表示装置。
【請求項２】
複数の音楽コンテンツ表示データを記憶する音楽コンテンツ記憶手段と、複数の音楽コンテンツ表示データの画像データを順序付けて１つにまとめた画像データである曲集画像データを複数記憶する曲集データ記憶手段とを具備し、音楽コンテンツ表示装置として機能するコンピュータに、
音楽コンテンツ記憶手段に記憶される各音楽コンテンツ表示データの表示可否の状態に応じて、曲集データ記憶手段に記憶される複数の曲集画像データの中から１つの曲集画像データを選出する曲集画像データ選出ステップと、
曲集画像データ選出ステップで選出された曲集画像データを表示する曲集画像データ表示ステップと
から成る手順を実行させる音楽コンテンツ表示プログラム。
【請求項３】
前記曲集画像データ選出ステップは、
前記音楽コンテンツ記憶手段に記憶される全ての音楽コンテンツ表示データが表示可能状態であるか否かを判定する表示可能判定ステップと、
該表示可能判定ステップで、前記音楽コンテンツ記憶手段に記憶される全ての音楽コンテンツ表示データが表示可能状態であると判定されたときに、当該全ての音楽コンテンツ表示データの画像データを順序付けて１つにまとめた曲集画像データを選出する全表示可能データ選出ステップと
を含む請求項２に記載の音楽コンテンツ表示プログラム。
【請求項４】
前記曲集画像データ選出ステップでは、各曲集画像データと各曲集画像データに含まれる画像データに対応する複数の音楽コンテンツ表示データとを対応付けた曲集・コンテンツ対応データによって対応付けられる全ての音楽コンテンツ表示データが表示可能状態である曲集画像データを選出する請求項２に記載の音楽コンテンツ表示プログラム。
【請求項５】
前記曲集画像データ表示ステップは、
特定のページ、現在表示しているページの次のページ、現在表示しているページの前のページを表示させる譜めくり指示を受けたことを検出する譜めくり指示検出ステップと、  該譜めくり指示検出ステップで検出された譜めくり指示に応じて、現在表示中の曲集画像データ内の次に表示すべきページを決定し、決定されたページに該当するページに表示更新する表示更新ステップと
を含む請求項２〜４の何れか１項に記載の音楽コンテンツ表示プログラム。
【請求項６】
前記曲集データ記憶手段に記憶されている曲集画像データの各ページに、通し番号のページ番号が付与されていることを特徴とする請求項２〜５の何れか１項に記載の音楽コンテンツ表示プログラム。
【手続補正２】
【補正対象書類名】明細書
【補正対象項目名】０００７
【補正方法】変更
【補正の内容】
【０００７】
この発明の主たる特徴に従うと、複数の音楽コンテンツ表示データ（Ｄｉ：Ｄｉ１〜Ｄｉ６）を記憶する音楽コンテンツ記憶手段（ＡＲ）と、複数の音楽コンテンツ表示データ（Ｄｉ）の画像データ（Ｂｄ）を順序付けて１つにまとめた画像データである曲集画像データ（Ｄａ）を複数（Ｄａ：Ｄａ１〜Ｄａ３）記憶する曲集データ記憶手段（ＡＲ）と、音楽コンテンツ記憶手段（ＡＲ）に記憶される各音楽コンテンツ表示データ（Ｄｉ）の表示可否（Ａｖ）の状態に応じて、曲集データ記憶手段（ＡＲ）に記憶される複数の曲集画像データ（Ｄａ）の中から１つの曲集画像データ（Ｄａ）を選出する曲集画像データ選出手段（Ｐ６：図９）と、曲集画像データ選出手段（Ｐ６）により選出された曲集画像データ（Ｄａ）を表示する曲集画像データ表示手段（６；Ｐ８〜Ｐ１１：図１０）とを具備する音楽コンテンツ表示装置（ＳＴ）〔請求項１〕、並びに、複数の音楽コンテンツ表示データ（Ｄｉ：Ｄｉ１〜Ｄｉ６）を記憶する音楽コンテンツ記憶手段（ＡＲ）と、複数の音楽コンテンツ表示データ（Ｄｉ）の画像データ（Ｂｄ）を順序付けて１つにまとめた画像データである曲集画像データ（Ｄａ）を複数（Ｄａ：Ｄａ１〜Ｄａ３）記憶する曲集データ記憶手段（ＡＲ）とを具備し、音楽コンテンツ表示装置（ＳＴ）として機能するコンピュータに、音楽コンテンツ記憶手段（ＡＲ）に記憶される各音楽コンテンツ表示データ（Ｄｉ）の表示可否（Ａｖ）の状態に応じて、曲集データ記憶手段（ＡＲ）に記憶される複数の曲集画像データ（Ｄａ）の中から１つの曲集画像データ（Ｄａ）を選出する曲集画像データ選出ステップ（Ｐ６：図９）と、曲集画像データ選出ステップ（Ｐ６）で選出された曲集画像データ（Ｄａ）を表示する曲集画像データ表示ステップ（Ｐ８〜Ｐ１１：図１０）とから成る手順を実行させる音楽コンテンツ表示プログラム〔請求項２〕が提供される。なお、括弧書きは、理解の便のために付記した実施例の参照記号や用語、参照箇所等であり、以下においても同様である。
【手続補正３】
【補正対象書類名】明細書
【補正対象項目名】００１０
【補正方法】変更
【補正の内容】
【００１０】
また、これらの発明による音楽コンテンツ表示プログラムの曲集画像データ表示ステップ（Ｐ８〜Ｐ１１：図１０）は、特定のページ、現在表示しているページの次のページ、或いは、現在表示しているページの前のページを表示させる譜めくり指示を受けたことを検出する譜めくり指示検出ステップ（Ｒ１＝ＹＥＳ，Ｒ３＝ＹＥＳ，Ｒ６＝ＹＥＳ）と、譜めくり指示検出ステップ（Ｒ１＝ＹＥＳ，Ｒ３＝ＹＥＳ，Ｒ６＝ＹＥＳ）で検出された譜めくり指示に応じて、現在表示中の曲集画像データ内の次に表示すべきページ（Ｐｎ）を決定し、決定されたページ（Ｐｎ）に該当するページに表示更新する表示更新ステップ（Ｒ２，Ｒ４〜Ｒ５，Ｒ７〜Ｒ１０）とを含む〔請求項５〕ように構成することができる。
さらに、前記コンピュータが具備する前記曲集データ記憶手段（ＡＲ）に記憶されている曲集画像データ（Ｄａ）の各ページには、通し番号のページ番号（Ｐｎ）が付与されている〔請求項６〕ように構成することができる。
【手続補正４】
【補正対象書類名】明細書
【補正対象項目名】００１１
【補正方法】変更
【補正の内容】
【００１１】
この発明の主たる特徴による音楽コンテンツ表示システムでは〔請求項１，２〕、楽譜表示データなどの音楽コンテンツ表示データ（Ｄｉ：Ｄｉ１〜Ｄｉ６）が、複数、音楽コンテンツ記憶手段（ＡＲ）に記憶され、複数［種類］の曲集画像データ（Ｄａ：Ｄａ１〜Ｄａ３）が曲集データ記憶手段（ＡＲ）に記憶される。ここで、曲集画像データ（Ｄａ）は、複数の音楽コンテンツ表示データ（Ｄｉ）の画像データ（Ｂｄ）を順序付けて１つにまとめた画像データである。音楽コンテンツ記憶手段（ＡＲ）に記憶されている音楽コンテンツ表示データ（Ｄｉ）を表示する際は、各音楽コンテンツ表示データ（Ｄｉ）が表示可否（Ａｖ）の何れの状態にあるかを調べ、調べた結果に応じて、曲集データ記憶手段（ＡＲ）に記憶される複数［種類］の曲集画像データ（Ｄａ）の中から１つの曲集画像データ（Ｄａ２）を選出する（Ｐ６：図９）。そして、選出された曲集画像データ（Ｄａ）を画面に表示する（６；Ｐ８〜Ｐ１１：図１０）。
【手続補正５】
【補正対象書類名】明細書
【補正対象項目名】００１２
【補正方法】変更
【補正の内容】
【００１２】
つまり、この発明では、表示可能状態にある各音楽コンテンツ表示データ（楽譜表示データなど）の画像データを所定の順番で並べた曲集画像データが複数種類用意されており、記憶されている音楽コンテンツ表示データ（楽譜表示データなど）の表示可否の状態に応じて適した曲集画像データが選択され表示される。